(57)【要約】【課題】アースラインと回路基板との接触不良に起因した性能の低下が防止された衛星放送受信用コンバータを提供する。【解決手段】衛星放送受信用コンバータ１２は、高い周波数の信号を低い周波数の信号に変換する電子回路部品６を備えている。電子回路部品６は、回路基板２上に搭載されている。回路基板２には、シャーシ１およびフレーム３が装着されている。シャーシ１およびフレーム３は、電子回路部品６を内包して、外部の電磁波から電子回路部品６を遮蔽している。また、回路基板２とシャーシ１との間には、アースライン４が挿入されている。回路基板２とアースライン４との間には、回路基板２およびアースライン４に接触するように導電性板５が挿入されている。【選択図】図１
2007142626.tif 000002
【特許請求の範囲】
【請求項１】
高い周波数の信号を低い周波数の信号に変換する電子回路部品と、
前記電子回路部品が搭載された回路基板と、
前記回路基板に装着され、前記電子回路部品を内包して、外部の電磁波から前記電子回路部品を遮蔽するシャーシおよびフレームと、
前記回路基板と前記シャーシとの間または前記回路基板と前記フレームとの間に挿入されたアースラインと、
前記回路基板と前記アースラインとの間に、前記回路基板および前記アースラインに接触するように挿入された導電性板または導電性グリスとを備えた、衛星放送受信用コンバータ。
【請求項２】
前記導電性板または前記導電性グリスの平面形状が前記アースラインの平面形状と同一である、請求項１に記載の衛星放送受信用コンバータ。
【請求項３】
ＲＦ（Radio Frequency）の信号が伝送されるＲＦ伝送路を備え、
前記導電性板または前記導電性グリスが、前記ＲＦ伝送路を内包する部分の前記回路基板と前記アースラインとの間にのみ設けられた、請求項１に記載の衛星放送受信用コンバータ。
【請求項４】
前記電子回路部品の周波数変換の特性を変更し得るローカルネジを備え、
前記導電性板または前記導電性グリスが、前記ローカルネジを内包する部分の前記回路基板と前記アースラインとの間にのみ設けられた、請求項１に記載の衛星放送受信用コンバータ。
【請求項５】
アンテナで反射した信号を前記電子回路部品に導く導波管を備え、
前記導電性板または前記導電性グリスが、前記導波管が挿入されている部分の前記回路基板と前記アースラインとの間にのみ設けられた、請求項１に記載の衛星放送受信用コンバータ。
【請求項６】
前記導電性板または前記導電性グリスの厚さが０.０１ｍｍ〜０.５ｍｍである、請求項１に記載の衛星放送受信用コンバータ。
【請求項７】
前記導電性板または前記導電性グリスが、銅、アルミ、鉄、ステンレス、亜鉛、銀、または金からなる、請求項１に記載の衛星放送受信用コンバータ。
【請求項８】
前記導電性板が複数の凸部、複数の貫通孔、または格子状の突起を有する、請求項１に記載の衛星放送受信用コンバータ。
【発明の詳細な説明】
【技術分野】
【０００１】
本発明は、衛星放送受信用のコンバータに関するものである。
【背景技術】
【０００２】
従来から、図１８に示すように、１つの反射鏡で直線偏波信号および円偏波信号を受信するパラボラアンテナ１３が用いられている。パラボラアンテナ１３で受信された高い周波数の信号は、衛星放送受信用コンバータ１２によって低い周波数の信号に変換される。それにより、低い周波数の信号が各機器に伝達される。
【０００３】
衛星放送受信用コンバータ１２は、ＬＮＢ（Low Noise Down Block Converter）と呼ばれ、次のような構造を有している。
【０００４】
衛星放送受信用コンバータ１２は、図１８〜図２０に示すように、パラボラアンテナ１３で反射した信号波が入力される一次放射器１０と、一次放射器１０に接続され、信号波を内部に導く導波管１１と、導波管１１に接続されたシャーシ１とを備えている。
【０００５】
シャーシ１内には、導波管１１によって導かれた信号を受信し、高い周波数の信号を低い周波数の信号に変換する電子回路部品６が設けられている。電子回路部品６は、回路基板２の一方の主表面上に搭載されている。回路基板２の他方の主表面上にはアースライン４が設けられている。回路基板２にはフレーム３が装着されている。電子回路部品６は、シャーシ１およびフレーム３によって内包され、外部の電磁波から遮蔽されている。つまり、シャーシ１とフレーム３とによって回路基板２が挟まれている構造、すなわち、サンドイッチ構造が形成されている。なお、アースライン４は、図１９および図２０においては、回路基板２とシャーシ１とによって挟まれているが、回路基板２とフレーム３とによって挟まれていてもよい。
【特許文献１】特開２０００−１９６２８４号公報
【発明の開示】
【発明が解決しようとする課題】
【０００６】
上記従来の衛星放送受信用コンバータにおいては、図２１に示すように、シャーシ１またはフレーム３に接触するように設けられたアースライン４にうねりまたは反りが発生する場合がある。この場合には、回路基板２とシャーシ１との間または回路基板２とフレーム３との間に隙間７が形成される。そのため、アースライン４と回路基板２と間に接触不良が生じる。その結果、雑音指数（ＮＦ）および交差変波特性が低下するとともに、不要輻射(電波漏れ)およびローカル発振停止が発生する。つまり、衛星放送受信用コンバータの性能が低下してしまう。
【０００７】
本発明は、上述の問題に鑑みてなされたものであり、その目的は、アースラインと回路基板との接触不良に起因した性能の低下が防止された衛星放送受信用コンバータを提供することである。
【課題を解決するための手段】
【０００８】
本発明の衛星放送受信用コンバータは、高い周波数の信号を低い周波数の信号に変換する電子回路部品と、電子回路部品が搭載された回路基板と、回路基板に装着され、電子回路部品を内包して、外部の電磁波から電子回路部品を遮蔽するシャーシおよびフレームと、回路基板とシャーシとの間または回路基板とフレームとの間に挿入されたアースラインと、回路基板とアースラインとの間に、回路基板およびアースラインに接触するように挿入された導電性板または導電性グリスとを備えている。
【０００９】
導電性板または導電性グリスの平面形状がアースラインの平面形状と同一であってもよい。
【００１０】
本発明の衛星放送受信用コンバータは、ＲＦ（Radio Frequency）の信号が伝送されるＲＦ伝送路を備えており、導電性板または導電性グリスが、ＲＦ伝送路を内包する部分の回路基板とアースラインとの間にのみ設けられていてもよい。
【００１１】
本発明の衛星放送受信用コンバータは、電子回路部品の周波数変換の特性を変更し得るローカルネジを備えており、導電性板または導電性グリスが、ローカルネジを内包する部分の回路基板とアースラインとの間にのみ設けられていてもよい。
【００１２】
また、本発明の衛星放送受信用コンバータは、アンテナで反射した信号を電子回路部品に導く導波管を備えており、導電性板または導電性グリスが、導波管が挿入されている部分の回路基板とアースラインとの間にのみ設けられていてもよい。
【００１３】
導電性板または導電性グリスの厚さは０.０１ｍｍ〜０.５ｍｍであることが望ましい。導電性板または導電性グリスが、銅、アルミ、鉄、ステンレス、亜鉛、銀、または金からなっていることが望ましい。導電性板が複数の凸部、複数の貫通孔、または格子状の突起を有していることが望ましい。
【発明の効果】
【００１４】
本発明によれば、シャーシと回路基板との間およびフレームと回路基板との間のいずれにも隙間が形成されることが防止される。そのため、雑音指数（ＮＦ）および交差変波特性を向上させることができる。また、衛星放送受信用コンバータの密閉性が向上する。そのため、不要輻射(電波漏れ)およびローカル発振停止を防止することができる。つまり、アースラインと回路基板との接触不良に起因した性能の低下が防止される。
【発明を実施するための最良の形態】
【００１５】
以下、図面を参照しながら、本発明の実施の形態の衛星放送受信用コンバータを説明する。
【００１６】
（実施の形態１）
図１は、実施の形態１の衛星放送受信用コンバータ１２の断面図である。
【００１７】
実施の形態１の衛星放送受信用コンバータ１２は、高い周波数の信号を低い周波数の信号に変換する電子回路部品６を備えている。電子回路部品６は、回路基板２上に搭載されている。回路基板２には、シャーシ１およびフレーム３が装着されている。シャーシ１およびフレーム３は、電子回路部品６を内包して、外部の電磁波から電子回路部品６を遮蔽している。また、回路基板２とシャーシ１との間には、アースライン４が挿入されている。回路基板２とアースライン４との間には、回路基板２およびアースライン４に接触するように導電性板（双方向性）５が挿入されている。
【００１８】
本実施の形態の衛星放送受信用コンバータによれば、導電性板５によって、シャーシ１と回路基板２との間に隙間が形成されることが防止される。そのため、雑音指数（ＮＦ）および交差変波特性を向上させることができる。また、衛星放送受信用コンバータ１２の密閉性が向上する。そのため、不要輻射(電波漏れ)およびローカル発振停止を防止することができる。つまり、アースライン４と回路基板２との接触不良に起因した性能の低下が防止される。
【００１９】
（実施の形態２）
図２は、実施の形態２の衛星放送受信用コンバータ１２の断面図である。
【００２０】
本実施の形態の衛星放送受信用コンバータ１２は、回路基板２とシャーシ１との間に導電性板５が設けられているのではなく、回路基板２とフレーム３との間に導電性板５が設けられていること以外は、実施の形態１の衛星放送受信用コンバータ１２と同様の構造を有している。
【００２１】
本実施の形態の衛星放送受信用コンバータ１２によっても、実施の形態１の衛星放送受信用コンバータ１２によって得られる効果と同様の効果を得ることができる。
【００２２】
（実施の形態３）
図３は、実施の形態３の衛星放送受信用コンバータ１２の断面図である。
【００２３】
実施の形態３の衛星放送受信用コンバータ１２は、導電性板５の代わりに導電性グリス８が用いられていること以外は、実施の形態１または２の衛星放送受信用コンバータ１２と同様の構造を有している。
【００２４】
本実施の形態の衛星放送受信用コンバータ１２によっても、実施の形態１または２の衛星放送受信用コンバータ１２によって得られる効果と同様の効果を得ることができる。
【００２５】
また、前述の実施の形態１〜３の衛星放送受信用コンバータ１２においては、図４および図５に示すように、導電性板５または導電性グリス８の平面形状がアースライン４の平面形状、すなわち、シャーシ１またはフレーム３のリブ部の端面（領域３０内の斜線で示す部分）と同一であってもよい。なお、図４においては、導波管９は１つのみ設けられており、図５においては、導波管９は複数設けられている。
【００２６】
また、衛星放送受信用コンバータ１２は、ＲＦ（Radio Frequency）の信号が伝送されるＲＦ伝送路を備えており、図６および図７に示すように、導電性板５または導電性グリス８がＲＦ伝送路を内包する領域３１内のシャーシ１またはフレーム３のリブ部の端面にのみ設けられていてもよい。なお、図６においては、導波管９は１つのみ設けられており、図７においては、導波管９は複数設けられている。
【００２７】
また、衛星放送受信用コンバータ１２は、電子回路部品６の周波数変換の特性を変更し得るローカルネジ２０を備えており、図８に示すように、導電性板５または導電性グリス８が、ローカルネジ２０が存在する空間を内包する部分、すなわち領域３２内のシャーシ１またはフレーム３のリブ部の端面にのみ設けられていてもよい。
【００２８】
また、衛星放送受信用コンバータ１２は、アンテナで反射した信号を電子回路部品６に導く導波管９を備えており、図９に示すように、導電性板５または導電性グリス８が、導波管９が挿入される部分、すなわち領域３３内のシャーシ１またはフレーム３のリブ部の端面にのみ設けられていてもよい。
【００２９】
なお、導電性板５または導電性グリス８の厚さが０.０１ｍｍ〜０.５ｍｍであり、銅、アルミ、鉄、ステンレス、亜鉛、銀、または金からなっている。
【００３０】
また、導電性板５は、図１０〜図１３に示すような複数の凸部１００を有するものであってもよく、また、図１４〜図１７に示す貫通孔２００、または格子状の突起３００を有していてもよい。
【００３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内のすべての変更が含まれることが意図される。
【図面の簡単な説明】
【００３２】
【図１】実施の形態１の衛星放送受信用コンバータの断面図である。
【図２】実施の形態２の衛星放送受信用コンバータの断面図である。
【図３】実施の形態３の衛星放送受信用コンバータの断面図である。
【図４】実施の形態の第１の例の導電性板の外形（全体）を示すための図である。
【図５】実施の形態の第２の例の導電性板の外形（全体）を示すための図である。
【図６】実施の形態の第３の例の導電性板の外形（ＲＦ部）を示すための図である。
【図７】実施の形態の第４の例の導電性板の外形（ＲＦ部）を示すための図である。
【図８】実施の形態の第５の例の導電性板の外形（ローカル部）を示すための図である。
【図９】実施の形態の第６の例の導電性板の外形（導波管部）を示すための図である。
【図１０】実施の形態の導電性板の表面形状（ポンチ凸状の板）を示すための第１平面図である。
【図１１】実施の形態の導電性板の表面形状（ポンチ凸状の板）を示すための第１側面図である。
【図１２】実施の形態の導電性板の表面形状（舌形状の板）を示すための第１平面図である。
【図１３】実施の形態の導電性板の表面形状（舌形状の板）を示すための第１側面図である。
【図１４】実施の形態の導電性板の表面形状（パンチ孔形状の板）を示すための第１平面図である。
【図１５】実施の形態の導電性板の表面形状（パンチ孔形状の板）を示すための第１側面図である。
【図１６】実施の形態の導電性板の表面形状（格子形状の板）を示すための第１平面図である。
【図１７】実施の形態の導電性板の表面形状（格子形状の板）を示すための第１側面図である。
【図１８】パラボラアンテナの外観を示す図である。
【図１９】従来の衛星放送受信用コンバータの断面図である。
【図２０】従来の衛星放送受信用コンバータの断面図である。
【図２１】従来の衛星放送受信用コンバータを説明するための図である。
【符号の説明】
【００３３】
１  シャーシ、２  回路基板、３  フレーム、４  アースライン、５  導電性板、６  電子回路部品、７  隙間、８  導電グリス、９  導波管、１０  ローカル部、１１  導波管部、１２  衛星放送受信用コンバータ、１３  パラボラアンテナ。
【図１】
2007142626.tif 000003
【図２】
2007142626.tif 000004
【図３】
2007142626.tif 000005
【図４】
2007142626.tif 000006
【図５】
2007142626.tif 000007
【図６】
2007142626.tif 000008
【図７】
2007142626.tif 000009
【図８】
2007142626.tif 000010
【図９】
2007142626.tif 000011
【図１０】
2007142626.tif 000012
【図１１】
2007142626.tif 000013
【図１２】
2007142626.tif 000014
【図１３】
2007142626.tif 000015
【図１４】
2007142626.tif 000016
【図１５】
2007142626.tif 000017
【図１６】
2007142626.tif 000018
【図１７】
2007142626.tif 000019
【図１８】
2007142626.tif 000020
【図１９】
2007142626.tif 000021
【図２０】
2007142626.tif 000022
【図２１】
2007142626.tif 000023